(57)【要約】      （修正有）【課題】吸気弁を開放および閉鎖する時期、および、開放ストロークを望んだ通りに変更できるエンジンを提供する。【解決手段】過給機を備えたディーゼルエンジンは、電子的に制御された、エンジンの吸気弁の可変作動用油圧システムを備えている。各吸気弁を制御するカム９は、膨張行程および排気行程の間、エンジンの内部で直接排気ガス再循環を提供するように、吸気弁の追加の開放をもたらす追加のローブ４１を有している。前記追加のローブ４１は、弁のゼロでないリフトに相当するストレッチを有するとともに、メインローブ４０に同径で接続する下降ストレッチを有し、弁のリフトのプロファイルが、メインのリフトのプロファイルの上昇ストレッチに、追加のリフトのプロファイルの下降ストレッチを同径で接続するリフトのほぼゼロでない値に相当する部分を有している。【選択図】図５
2010112372.tif 000002
【特許請求の範囲】
【請求項１】
閉鎖位置に向かって押圧する弾性戻し手段（４）が設けられた、各シリンダーに対して少なくとも１つの吸気弁（１）と、
各タペット（８）によって前記吸気弁（１）および排気弁を制御する少なくとも１つのカムシャフトと
を備え、
前記各シリンダーに対して少なくとも１つの吸気弁（１）は、前記各タペット（８）によって、前記弾性手段（４）の作用に抗して、加圧流体チャンバ（６）を含む油圧手段の介在によって制御され、
前記加圧流体チャンバ（６）は、ソレノイド弁（１５）により制御される通路によって排気チャネル（１２）と接続され、前記ソレノイド弁（１５）が開くと、前記吸気弁（１）が前記各タペット（８）から外れ、前記弾性手段（４）によって閉じた状態に維持されるように設計され、
エンジンの動作条件に応じて、前記各吸気弁（１）の開放の時間、および／または、ストロークを変更するように、前記各ソレノイド弁（１５）を制御するエンジン電子制御手段（Ｅ）と関連付けられ、
前記吸気弁（１）を制御するカム（９）は、エンジンシリンダーの中へ燃料を吸入する吸気行程の間、前記吸気弁（１）を開放させるメインローブ（４０）と、排気行程の間、前記吸気弁（１）の追加の開放を行う追加のローブ（４１）とを有する、
ディーゼルエンジンであって、
前記追加のローブ（４１）は、前記弁のゼロでないリフトに相当するストレッチを有するとともに、前記メインローブ（４０）に同径で接続する（radiused）下降ストレッチを有し、前記弁のリフトのプロファイルが、メインのリフトのプロファイル（Ａ）の上昇ストレッチに、追加のリフトのプロファイル（Ｂ）の下降ストレッチを同径で接続する（radiuses）リフトのほぼゼロでない値に相当する部分（Ｃ）を有するようにしたことを特徴とするエンジン。
【請求項２】
前記追加のローブ（４１）はクランク角が変わるにつれて、前記吸気弁（１）の追加のリフトのプロファイル（Ｂ）を提供するように成形され、前記プロファイルは、なだらかな斜面の初期部分（Ｂｉ）を有したブーツのように成形され、それから、伝統的なベル形状を有する第２部分の中へ延び、より急な斜面を上昇し、最も上昇した位置（Ｍ）で終点となり、それから、降下し、前記吸気弁（１）の追加のリフトのプロファイルの前記初期部分（Ｂｉ）は、前記シリンダーの膨張行程にあるクランク角に相当するゼロリフトの最初の点（Ｘ）から延びることを特徴とする請求項１に記載のエンジン。
【請求項３】
過給機が装備されたコンプレッサ（２６）、および、排気ガス処理装置（３３）の下流の点（Ａ）から始まって延び、前記コンプレッサ（２６）の上流の吸気管に合流する、排気ガス再循環用管（３４）を備え、
前記エンジンの吸気弁と関連付けられた前記ソレノイド弁（１５）を制御する前記電子制御手段（Ｅ）は、前記再循環管（３４）を介して再循環されたガスの流れを制御する弁（３６）を制御するためにも予め配置されていることを特徴とする請求項２に記載のエンジン。
【発明の詳細な説明】
【技術分野】
【０００１】
本発明は、１つ以上のシリンダー、および、閉鎖位置に向かって押圧する弾性手段が設けられた、各シリンダーに対して少なくとも１つの吸気弁と、各タペットによって吸気弁を制御する少なくとも１つのカムシャフトとを備え、各シリンダーに対して少なくとも１つの吸気弁は、各タペットによって、前記弾性手段の作用に抗して、加圧流体チャンバを含む油圧手段を通じて制御され、加圧流体チャンバは、ソレノイド弁により制御される通路によって排気チャネルと接続され、前記ソレノイド弁が開くと、吸気弁が各タペットから外れ、前記弾性手段によって閉じた状態に維持されるように設計され、エンジンの動作条件に応じて、各吸気弁の開放の時間、および／または、ストロークを変更するように、各ソレノイド弁を制御する前記エンジン電子制御手段と関連付けられているディーゼルエンジンに関するものである。
【背景技術】
【０００２】
少し前、本願出願人は、登録商標のＵＮＩＡＩＲおよびＭＵＬＴＩＡＩＲによって特定されるエンジンの吸気弁の可変作動システム（ＥＰ−Ａ−８０３６４２，ＥＰ−Ａ−０９６１８７０，ＥＰ−Ａ−０９３１９１２，ＥＰ−Ａ−０９３９２０５，ＥＰ−Ａ−１０９１０９７，ＥＰ−Ａ−１２４５７９９，ＥＰ−Ａ−１２４３７６３，ＥＰ−Ａ−１２４３７６２，ＥＰ−Ａ−１２４３７６４，ＥＰ−Ａ−１２４３７６１，ＥＰ−Ａ−１２７３７７０，ＥＰ−Ａ−１３２１６３４，ＥＰ−Ａ−１３３８７６４，ＥＰ−Ａ−１３４４９００，ＥＰ−Ａ−１６３５０４５，ＥＰ−Ａ−１６３５０４６，ＥＰ−Ａ−１６５３０５７，ＥＰ−Ａ−１６７４６７３，ＥＰ−Ａ−１７２６７９０を参照。）を開発した。
【０００３】
図１は、電子的に制御された、エンジンの吸気弁の可変作動用油圧システムであり、本願出願人によって開発され、上で示した様々な先行特許の主題を形成した、いわゆるＵＮＩＡＩＲ、または、ＭＵＬＴＩＡＩＲタイプである、システムの動作の原理の概略図である。前記図を参照すると、符号１は、特に、本発明の場合には、ディーゼルエンジンである内燃機関のシリンダーヘッド３の中に形成された各吸気管２と関連付けられた吸気弁の全体に対して付されている。弁１は、弁の軸の上端に作用するピストン５によって開くように強制されている間、その閉鎖位置に向かって（図で見られるように上向きに）バネ４によって付勢されている。ピストン５は、加圧チャンバ６の中に存在する、圧力下の油によって制御され、加圧チャンバ６には、ポンピングピストン７が作用している。ピストン７は、カムシャフト１０のカム９と共働するタペット８と一緒に移動する。タペット８は、バネ１１によって押圧されており、カム９と摺動接触している。圧力チャンバ６は、エンジンの動作条件に応じて、全体としてＥが付された電子制御手段によって制御されるソレノイド弁１５の開閉要素１４に制御される通路を通して、加圧された油のアキュムレータ１３と連通する排気管１２と接続されるように設計されている。前述したシステムの望ましい実施形態では、ソレノイド弁１５は、常開タイプである。前記開放状態では、チャンバ６は、タペット８およびポンピングピストン７の動きが、弁１を制御するピストン５と一致する動きを引き起こさないので、カム９を作動させないように、排出通路１２と連通する。したがって、弁１は、バネ４によって支持される閉鎖位置に留まっている。ソレノイド弁１５が閉じられると、チャンバ６は（エンジンの潤滑用回路と連通する）通路１２、および、アキュムレータ１３から、ノンリターン弁１６によって制御された補助通路、および、ノンリターン弁１７によって制御されたエンジン潤滑回路と連通する通路を通して入ってくる油で満たされ、再び加圧される。前記状態では、タペット８とポンピングピストン７の動きが、弁１の動きを制御するピストン５に伝わる限りにおいて、カム９は、作動させている。ソレノイド弁１５が再び開いた状態にされると、チャンバ６に存在する油は、ソレノイド弁１５によって制御される通路を通して、アキュムレータ１３の中へ排出される。これにより、弁１は、バネ４によって急速に閉じることができ、カム９は、再び作動しない状態にされる。ソレノイド弁１５は、電子手段Ｅによって、吸気弁の開放する瞬間および閉鎖する瞬間の両方、および、その結果として開放ストロークを望んだ通りに変更するように、例えば、様々な動作条件において、消費レベルの減少、または、有害な排気ガスの減少の観点から、エンジンの理想的な動作を得るために、プリセットされた方法に従う様々なエンジンの動作条件の中で制御されている。
【０００４】
本発明は、特に、可変作動する前記吸気弁を制御するカムが、エンジンシリンダーの中に燃料を吸入する吸気行程の間、弁を開放させるメインローブと、膨張行程と排気行程の間、吸気弁をさらに開放させる補助ローブとを備える、上で特定したタイプのエンジンに関する。このタイプのエンジンは、本願出願人の名前で出願されたＥＰ０９６１８７０Ｂ１、および、ＥＰ１２７３７７０Ｂ１に記載されている。排気行程の間、排気ガスの一部がシリンダーから吸気管の中へ、開いた吸気弁を通して通過し、その後、次の燃焼に加わるために、次の吸気行程の間にシリンダーの中に戻るという事実によって、排気行程の間に吸気弁がさらに開くことにより、エンジンの内部の排気ガス再循環（ＥＧＲ）を得ることができる。
【０００５】
排気行程の間、吸気弁の追加の開放を得るために、追加のローブを有するカムを備えることによって、上述した吸気弁の可変作動システムは、最適な方法でエンジンの動作を制御できる。実際、内部ＥＧＲが必要なエンジンの動作条件では、吸気弁と関連付けられたソレノイド弁は、前述した加圧チャンバが油で満たされるように、閉鎖状態の中で留まっており、カムの追加のローブは、作動させている。すなわち、排気行程の間、対応する吸気弁のリフトを効果的にもたらすことができる。そのかわりに、内部ＥＧＲが望まれていないか、あるいは、有害でさえあるエンジンの動作条件では、前述したソレノイド弁は、油を流体チャンバから排出できるように開いたままであり、カムの追加のローブは、タペットの動きが吸気弁に伝わらず吸気弁が閉じられたままとなるように、作動させない状態にされている。もちろん、上で特定した特許の中で広く説明されているものによれば、本願出願人によって開発された吸気弁の可変作動システムは、柔軟性を最大にし、それ故に、普通の吸入サイクルの間、および、カムの追加のローブが作動しているときの両方で、所望の通り変更することができる、開放時間、および、開放ストロークによって、弁が少し上昇できるようにする。
【０００６】
しかしながら、エンジンの膨張行程および排気行程の間に吸気弁の追加のリフトをもたらす追加のローブを有するカムを採用することは、エンジンの所定の動作条件において、システムの非効率の動作につながる。特に、エンジンが冷たい状態での始動において（通常、−３０°〜−２０°）、前記条件で、内部ＥＧＲが望まれていない限りにおいて、追加のローブが作動すると、ソレノイド弁１５は、開いた状態にされている。カムのメインローブが作動すると、ソレノイド弁１５は、吸気行程の間、弁の普通のリフトを提供するために閉じられる。このように、追加のローブを作動させないと、ポンピングピストン７（図１参照）は、いかなる場合においても、追加のローブに接しタペット８が係合した後に変位するが、前記変位は、吸気弁１に伝わらない。それ故に、追加のローブによってもたらされるポンピングピストン７の移動は、いかなる場合においても、チャンバ６を空にすることを決定する。タペット８が、メインローブと接すると、ソレノイド弁１５は、チャンバ６が加圧された油で再び満たされるように閉じられる。しかしながら、追加のローブの終わりと、メインローブの始まりの間で、小さなクランク角があるならば、システムは、タペットがカムのメインローブと接する前に、チャンバ６の中で十分な圧力を保証するのに十分な時間がないかもしれない。
【先行技術文献】
【特許文献】
【０００７】
【特許文献１】欧州特許出願公開第０８０３６４２号明細書
【特許文献２】欧州特許出願公開第０９６１８７０号明細書
【特許文献３】欧州特許出願公開第０９３１９１２号明細書
【特許文献４】欧州特許出願公開第０９３９２０５号明細書
【特許文献５】欧州特許出願公開第１０９１０９７号明細書
【特許文献６】欧州特許出願公開第１２４５７９９号明細書
【特許文献７】欧州特許出願公開第１２４３７６３号明細書
【特許文献８】欧州特許出願公開第１２４３７６２号明細書
【特許文献９】欧州特許出願公開第１２４３７６４号明細書
【特許文献１０】欧州特許出願公開第１２４３７６１号明細書
【特許文献１１】欧州特許出願公開第１２７３７７０号明細書
【特許文献１２】欧州特許出願公開第１３２１６３４号明細書
【特許文献１３】欧州特許出願公開第１３３８７６４号明細書
【特許文献１４】欧州特許出願公開第１３４４９００号明細書
【特許文献１５】欧州特許出願公開第１６３５０４５号明細書
【特許文献１６】欧州特許出願公開第１６３５０４６号明細書
【特許文献１７】欧州特許出願公開第１６５３０５７号明細書
【特許文献１８】欧州特許出願公開第１６７４６７３号明細書
【特許文献１９】欧州特許出願公開第１７２６７９０号明細書
【特許文献２０】欧州特許第０９６１８７０号明細書
【特許文献２１】欧州特許第１２７３７７０号明細書
【特許文献２２】欧州特許第１５８９２１３号明細書
【発明の概要】
【０００８】
本発明の根底にある目的は、簡易かつ効果的な方法で前記問題を解決することである。
【０００９】
上述した目的を達成するという見方をすると、本発明の主題は、本願の説明の始めに示したタイプのディーゼルエンジンである。すなわち、電子的に制御された、吸気弁の可変作動用油圧システムを備えるディーゼルエンジンであり、そのエンジンは吸気弁の作動用のカムを備えている。そのカムは、メインローブだけでなく、様々なエンジンシリンダーの中で、膨張行程および排気行程の間、吸気弁の追加の開放をもたらす追加のローブも備えている。前記エンジンは、さらに、前述した追加のローブが、弁のゼロでないリフトに相当するストレッチを有するとともに、メインローブに同径で接続する下降ストレッチを有し、弁のリフトのプロファイルが、メインのリフトのプロファイルの上昇ストレッチに、追加のリフトのプロファイルの下降ストレッチを同径で接続するリフトのほぼゼロでない値に相当する部分を有するようにしたことを特徴としている。
【００１０】
前記解決策により、タペット、および、対応するポンピングピストンは、カムの追加のローブでの係合の後、メインローブと係合する前に、行程の最終位置に戻らない。このことは、追加のローブが作動されない状態にされる、前述した位相（通常、−３０°〜−１５°での温度における冷たい始動下）において、チャンバ６により少ない油（図１）がなくなるように行われる。このように、追加のローブからのタペットの下降と、メインローブでのタペットの上昇の間で経過する短い時間にもかかわらず、普通の吸気行程の間、ソレノイド弁が、吸気弁を開放させるために閉じられると、その瞬間に、加圧チャンバ６は、油を充満させる。
【００１１】
本発明のさらなる特徴と有利な点は、限定されない例を単に示す添付図面を参照して明らかにされた説明によって浮かび上がるだろう。
【図面の簡単な説明】
【００１２】
【図１】本願出願人によって開発され本発明にかかるエンジンに使用されるシステムであって、いわゆるＵＮＩＡＩＲタイプ（それ自体は公知である）の、電子的に制御された、吸気弁の可変作動用油圧システムを例示する概略図。
【図２】それ自体は公知の技術によるものであり、図１のＵＮＩＡＩＲシステムに追加するものであって、エンジンの中で再循環される排気ガスが、触媒コンバータおよびパティキュレートトラップの下流に配設された排気管の位置において取り出される、いわゆる“ロングルート”タイプの外部ＥＧＲシステムも含む本発明にかかるディーゼルエンジンを例示する概略図。
【図３】本発明の主題を形成しない実施形態にかかる各エンジンシリンダーと関連付けられた吸気弁の作動用カムの概略図である。
【図４】図３のカムによって得られ、クランク角に応じた吸気弁のリフトのプロファイルを示す図。
【図５】本発明の教示に対応する図３および図４の解決策の変形例を示す図。
【図６】本発明の教示に対応する図３および図４の解決策の変形例を示す図。
【図７】図４及び図６のダイアグラムの比較ができるようにしたプロファイルを示す図。
【発明を実施するための形態】
【００１３】
本説明は、特に、ディーゼルエンジン、望ましくは、いわゆる“ロングルート”タイプの外部の排気ガス再循環（外部ＥＧＲ）を有する過給機付きのディーゼルエンジンについて上で説明したタイプのＵＮＩＡＩＲまたはＭＵＬＴＩＡＩＲの応用に関する。添付図面の図２は、本発明にかかるディーゼルエンジンの望ましい実施形態の概略図である。既に上で示したように、図２の配置は、それ自体公知のタイプである。特に、本願出願人によって、図２に説明した配置を有するエンジンに対して上で説明したＵＮＩＡＩＲまたはＭＵＬＴＩＡＩＲシステムを応用することが既に提案されている（ＥＰ−Ａ−１５８９２１３）。前記図において、参照符号１８は、４つのシリンダー１９を有するディーゼルエンジン全体に対して付されている。各シリンダー１９は、各吸気弁（図示せず）によって制御され、メイン吸気管２３を通して空気を受け入れる吸気マニホールド２２の一部分を形成する、２つの吸気管２０，２１を備えている。エアフィルタ２４、デビメータ２５、コンプレッサ２６、および、冷却装置すなわちインタークーラ２７が、メイン吸気管２３の中に連続して配設されている。既に上に示したように、本発明にかかるエンジンの場合には、ＥＰ−Ａ−１５８９２１３に含まれる提案の１つに従って、エンジンに吸気弁は、上で示したＵＮＩＡＩＲまたはＭＵＬＴＩＡＩＲタイプの可変作動システムによって制御されている。
【００１４】
もう一度、図２を参照すると、各排気弁（図示せず）によって制御され、メイン排気管３０と接続された排気マニホールド２９の一部分を形成している排気管２８が、エンジンの各シリンダー１９と関連付けられている。ドライブシャフト３２を介してコンプレッサ２６を作動するタービン３１と、互いに閉じられた状態で配設された触媒コンバータ３３ａおよびパティキュレートフィルタ（トラップ）３３ｂを備える排気ガス処理装置３３とが、メイン排気管３０の中に連続して配設されている。もう一度、ＥＰ−Ａ−１５８９２１３の中で想定されるものによれば、いわゆる“ロングルートＥＧＲ”または“低圧ＥＧＲ”タイプの排気ガス再循環（ＥＧＲ）用の管３４が、装置３３の下流に配設された点Ａにおいて、メイン排気管３０から分岐し、管３４を通して再循環された排気ガスの流速を制御する弁３６が位置しているコンプレッサ２６の上流に配設された点において合流している。弁３６は、電気モータ３６ａによって制御されている。電気モータ３６ａは、電子制御手段Ｅによって制御されている。電子制御手段Ｅは、例えば（しかし、いかなる代替解決策もあり得る）、ＵＮＩＡＩＲシステムのソレノイド弁も制御する電子制御ユニットそのものによって構成されている。電子手段Ｅは、エンジンの様々な動作条件の中で再循環された排気ガスの量を前記ロジックにしたがって変更するように、予め決められたロジックにしたがって弁３６を作動させるようにプログラムされている。
【００１５】
クーラ３５が排気ガス再循環管３４の中に配設されている。クーラ３５と平行なバイパス管、および、クーラ３５と前記バイパス管を通して、再循環されたガスの分配を制御する弁を設けることも可能である。
【００１６】
もう一度、図２を参照すると、再循環した多量の排気ガスを通過させるために、対応するアクチュエータ装置３８を有するスロットル弁３７が、望ましくは、設けられている。スロットル弁３７は、再循環管３４を通して圧力ジャンプを増加させることができる。前記装置は、図２に示すように、再循環管３４の合流点の上流の吸気管、または、再循環されるガスが取り出される領域Ａの下流の位置の排気管３０に差別することなく装着することができる。本発明にかかるエンジンの望ましい実施形態は、図１で示したタイプのシステムと組み合わせた、図２で示したタイプの配置を想定している。さらに、エンジンの吸気弁を制御するカムは、図３で示したような形状のプロファイルを示している。
【００１７】
図３および図４は、ディーゼルエンジンの吸気弁を制御するカムの、本発明の主題を形成しない実施形態の例、および、クランク角によって変化する吸気弁のリフトの対応するプロファイルを示す。
【００１８】
添付図面の図３に見られるように、エンジンの吸気弁を制御する各カム９は、シリンダーの中へ燃料を取り入れる通常の吸気行程の間、吸気弁の上昇を決定するメインローブ４０、および、吸気行程の前のシリンダーの膨張行程および排気行程の間、吸気弁の追加の上昇を決定する補助ローブの両方を有している。図示した例の場合には、各シリンダーに対して２つの吸気弁を想定しており、前記弁のそれぞれは、このタイプのそれぞれのカムによって制御されるが、本発明の教示が各シリンダーの吸気弁を制御する２つのカムの１つにのみ適用されるということを想定することも考えられる。
【００１９】
もちろん、エンジンの吸気弁と関連付けられたソレノイド弁１５（図１）が開いた状態であるとき、メインローブ４０、および、追加ローブ４１の両方を、作動しない状態にすることもできる。そのかわり、ソレノイド弁が閉じられた状態にあるという仮説では、各吸気弁は、図４の実線で示したタイプの弁リフトのダイアグラムを表す。もちろん、本願出願人のＵＮＩＡＩＲまたはＭＵＬＴＩＡＩＲシステムは、エンジンの吸気弁と関連付けられたソレノイド弁１５が中間状態を提供するいかなる瞬間においても、開いたり閉じたりできるように、完全に柔軟性がある。例えば、ソレノイド弁は、各吸気弁を制御するカム９が前記ステップにおいて完全に作動した状態となり、吸気弁が図４でＡが付されたメインプロファイルの完全なリフトに続くように、エンジンの通常の吸気行程の間、閉じられた状態を維持することができる。一方、各カム９の追加のローブ４１が、ダイアグラムの中でＢが付された追加のリフトのプロファイルが得られず、前記位相の間、弁のリフトがゼロのまま残ることができるように、タペットと接触しているとき、ソレノイド弁１５は開いた状態を維持できる。もう１つの方法としては、メインプロファイルＡの間、および、追加のプロファイルＢの間、ソレノイド弁は、最初、閉じ、その後、図４のダイアグラムのＡ１およびＢ１が付された例示した線にしたがって、吸気弁の閉鎖を早めるために開くことができる。すなわち、もう一度、他には、例えば、各吸気弁が、図４のダイアグラムの中でＡ２およびＢ２が付された線に相当するリフトプロファイルを有することができるように、ソレノイド弁の閉鎖を遅延させ、ソレノイド弁の開放を、理論的な弁のリフトプロファイルに対して早めることができる。
【００２０】
吸気弁を制御するカム９で追加ローブ４１を備えることは、エンジンの内側に直接排気ガス再循環をできるようにする目的を有している。実際、次の吸気行程において、以前に吸気管に合流した排気ガスの一部が、次の燃焼に再び加わるために燃焼室の中に戻れるように、エンジンでの排気行程の間、吸気弁の開放により、排気ガスの一部が吸気管に合流できるようにする。述べたタイプの弁の可変作動システムと組み合わせた前記解決策の採用は、もちろん、エンジンの動作条件がエンジンの内部のＥＧＲを必要としていないか、または、逆効果であるとき、吸気弁が前述した追加の開放を受けることから回避できるようにする。
【００２１】
他方では、前述の解決策は、排気行程の間、吸気弁の追加の開放をもたらす追加のローブを有するカムと吸気弁の可変作動システムとの組み合わせからなり、本願出願人の名前で出願された以前の提案（ＥＰ−Ａ−０９６１８７０、および、ＥＰ−Ａ−１２７３７７０）の主題を既に形成したということが指摘されるべきである。加えて、ロングルートタイプの外部ＥＧＲをさらに備えたディーゼルエンジンにおけるＵＮＩＡＩＲまたはＭＵＬＴＩＡＩＲシステムによる内部ＥＧＲの創作は、上で既に示したように、本願出願人の名前で出願された以前の提案（ＥＰ−Ａ−１５８９２１３）の主題を同様に形成している。
【００２２】
しかしながら、以前に提案されたどの解決策も、図４または図６で示したタイプの追加のリフトのダイアグラムＢを生じさせる、図３または図４に示したタイプの吸気を制御するカム９の追加のローブ４１の配置は想定していない。前記図に見られるように、前記ダイアグラムは、ブーツ構造によって、特徴付けられている。そのブーツ構造は、なだらかな斜面を有する初期部分Ｂｉを有し、その斜面は伝統的なベル形状を有する第２部分へ延び、そのベル形状は急に立ち上がり、最も上昇したＭ点において終了し、それから、下がる。吸気弁の追加のリフトのプロファイルの初期部分Ｂｉは、シリンダーの膨張行程で形成されているクランク角に相当するゼロリフトの最初の点Ｘから延びている。
【００２３】
図５および図６は、本発明の主題を形成する、図３および図４の変形であり、この場合において、追加のローブ４１は、ストレッチＣが追加のプロファイルＢの終わりとメインプロファイルＡの始まりの間で、ゼロでなく、ほぼ一定のリフトが想定されている、図６で示したタイプのリフトプロファイルを有するように、メインローブと径方向に位置する終端部を有するという点で、以前に述べた解決策と異なる。図４および図６の弁リフトのダイアグラムは、図７のダイアグラムにおいて、互いに直接比較される。
【００２４】
前記変形によれば、タペット、および、対応するポンピングピストンは、カムの追加のローブでの係合の後、メインローブと係合する前に、行程の最終位置に戻らない。このことは、追加のローブが作動されない状態にされる、前述した位相（通常、−３０°〜−１５°での温度における冷たい始動下）において、チャンバ６により少ない油（図１）がなくなるように行われる。このように、追加のローブからのタペットの下降と、メインローブでのタペットの上昇の間で経過する短い時間にもかかわらず、普通の吸気行程の間、ソレノイド弁が、吸気弁を開放させるために閉じられると、その瞬間に、加圧チャンバ６は、油を充満させる。
【００２５】
図４または図６で見ることができるリフトプロファイルを作り出すように設計されたカムの採用は、図２に示されタイプの、図１で概略的に示したタイプのＵＮＩＡＩＲまたはＭＵＬＴＩＡＩＲシステムが設けられたディーゼルエンジンと組み合わせて、様々な回転数のエンジンの様々な運転条件において、有害な排出物、特にＮＯｘ窒素酸化物の減少に関して、考えられる有利な点をさらに達成することができる。
【００２６】
本発明にかかるエンジンの制御の方法は、ここより後に、様々な動作条件に対して、説明する。
【００２７】
エンジンが暖かい（エンジンの冷却水の温度が９０°以上の）定常状態
理論上、エンジンが暖かい定常状態において、排気ガス再循環をロングルート管３４による外部再循環システムに専ら委ねることが望ましいだろう。しかしながら、前記管を通るガスの質量流量は、利用可能な減少した圧力ジャンプによって幾分か、制限される。しかしながら、その場の圧力を減少させるように設計されているスロットル３７（図２）の存在は、これらの状態において、必要とされる完全な量の再循環ができるようにはなっていない。その結果、エンジンが暖かい定常状態において、排気ガス再循環は、弁３６を適切な方法で起動する管３４を通したロングルートＥＧＲと、（ソレノイド弁１５を閉鎖することによって）各カム９の追加のローブ４１を作動させることが得られる内部ＥＧＲとの両方によって作動する。しかしながら、内部ＥＧＲには、再循環する排気ガスがとても熱く、したがって、燃焼室でのチャージ密度を減少させロングルートＥＧＲ管３４から入ってくる、 流速が速い冷たい排気ガスの流入を回避するという欠点がある。それ故に、内部ＥＧＲ使用は、制限されなければならず、もし、燃焼室における有効な平均圧力が閾値よりも高いならば、例えば、３気圧の領域では、採用されない。前記欠点を克服するために、ソレノイド弁１５は、追加のリフトのプロファイルＢ（図４）が、一定の遅延を有して作動させるように制御されている。その遅延は、内部ＥＧＲの量を減少させるように、Ｂ２が付された弁リフトを引き起こす。
【００２８】
発明によれば、追加のローブ４１は、遅延して作動させるにもかかわらず、図４のダイアグラムでＢ２が付され、燃焼室と吸気管の間の圧力ジャンプの減少による影響を相殺し、必要とされる再循環を保証するために十分な量の、弁リフトを決定するプロファイルを有している。
【００２９】
エンジンが暖かい過渡状態
エンジンが暖かく、過渡状態においては、例えば、加速装置が、完全に解放された後、押し込まれると（すなわち、いわゆるカットオフの後）、システムは、排気ガス再循環の機能を完全に、（それ故に、前記状態において、ソレノイド弁１５の閉鎖によって作動状態とされる）カムの追加のローブ４１によって提供される内部ＥＧＲに割り当てるように制御される。前述した過渡状態では、ロングルート再循環管３４には、窒素酸化物の減少に関して、素早く応答できないように、ほぼ燃焼ガスがない。したがって、前記状態において、追加のリフトのプロファイルＢは、前記位相において、ソレノイド弁１５を閉鎖することによって、十分に生かされている。
【００３０】
エンジンが冷たい（冷却水の温度が３０°以下の）定常状態
エンジンが冷たい、すなわち、エンジンの冷却水が３０°以下の）定常動作条件では、起こり得ない、とても高い燃焼温度とリンクした窒素酸化物の生成よりも、むしろ、一酸化炭素、未燃焼炭化水素、および、微粒子の排出、および、エンジンの燃焼の安定性を制御することがより重要となる。いかなる場合においても、再循環ガスが冷たく、出来るだけ早く定常状態に到達するエンジンの素早いウォームアップを回避する限りにおいて、ロングルート外部ＥＧＲに頼るのは得ではない。（図２で述べたように；しかしながら、他方では、バイパス弁を有する再循環回路は、１０ページの３〜８行目で述べた。：これらの状態において、ロングルートＥＧＲも共に動作することができる。）前記状態では、その結果、内部ＥＧＲを介して再循環させることができるより熱いガスを使用して、ソレノイド弁１５を閉鎖することにより、追加のリフトのプロファイルＢを、作動させることがより有利になる。前記状態では、ブーツプロファイルＢのなだらかな斜面の初期部分Ｂｉを生かすことが特に有利である。実際、（膨張行程の間）取り出されるガスの温度を上昇させるために吸気弁の開放を大幅に早めることが必要である。
【００３１】
メインプロファイルＡと追加のプロファイルＢの間の前述した径方向に位置するプロファイルＣを採用する解決策は、図４で示したプロファイルとは異なるタイプのプロファイルＢと組み合わせて採用することもできる。しかしながら、図４のプロファイルＢは、顕著な有利な点を表しており、本願出願人の名前で出願され、共に係属中の欧州特許出願の主題を形成し、そのもの自身も取り入れた。
【００３２】
もちろん、本発明の本質を損ねることなく、構造および実施形態の細部を、ここで説明し、図示したものに関して、本発明の範囲から逸脱することなく広く変更してもよい。
【符号の説明】
【００３３】
１  吸気弁
２  吸気管
３  シリンダーヘッド
４  バネ
５  ピストン
６  チャンバ
７  ピストン
８  タペット
９  カム
１０  カムシャフト
１１  バネ
１２  排気管
１３  アキュムレータ
１４  開閉要素
１５  ソレノイド弁
１６，１７  ノンリターン弁
１８  ディーゼルエンジン
１９  シリンダー
２０，２１  吸気管
２２  吸気マニホールド
２３  メイン吸気管
２４  エアフィルタ
２５  デビメータ
２６  コンプレッサ
２７  インタークーラ
２８  排気管
２９  排気マニホールド
３０  メイン排気管
３１  タービン
３２  ドライブシャフト
３３  排気ガス処理装置
３３ａ  触媒コンバータ
３３ｂ  パティキュレートフィルタ（トラップ）
３４  管
３５  クーラ
３６  弁
３６ａ  電気モータ
３７  スロットル弁
３８  アクチュエータ装置
４０  メインローブ
４１  追加のローブ
Ｅ  電子制御手段
【図１】
2010112372.tif 000003
【図２】
2010112372.tif 000004
【図３】
2010112372.tif 000005
【図４】
2010112372.tif 000006
【図５】
2010112372.tif 000007
【図６】
2010112372.tif 000008
【図７】
2010112372.tif 000009
【外国語明細書】
2010112372.tif 000010
2010112372.tif 000011
2010112372.tif 000012
2010112372.tif 000013
2010112372.tif 000014
2010112372.tif 000015
2010112372.tif 000016
2010112372.tif 000017
2010112372.tif 000018
2010112372.tif 000019
2010112372.tif 000020
2010112372.tif 000021
2010112372.tif 000022
2010112372.tif 000023
2010112372.tif 000024
2010112372.tif 000025
2010112372.tif 000026
2010112372.tif 000027
2010112372.tif 000028
2010112372.tif 000029
2010112372.tif 000030
2010112372.tif 000031
2010112372.tif 000032
2010112372.tif 000033
2010112372.tif 000034
2010112372.tif 000035